(57)【特許請求の範囲】
【請求項１】
ノイズフィルタを介してＡＣ電源が供給される第１の電源装置と、
該第１の電源装置からの電源の供給により起動する第１の制御手段と、
該第１の制御手段によりオンオフ制御される第２の電源装置と、
該第２の電源装置からの電源の供給により起動する第２の制御手段と、
前記第１の制御手段に入力する省エネ解除の信号を生成する省エネ解除手段とを有する電子機器装置において、
該省エネ解除手段の出力に応じて前記第２の電源装置に前記ＡＣ電源を供給するとともに、前記ノイズフィルタの定数を切り換えることを特徴とする電子機器装置。
【請求項２】
請求項１に記載の電子機器装置において、
前記省エネ解除手段により前記ノイズフィルタの定数を切り換えた後に、前記第２の電源装置をオンすることを特徴とする電子機器装置。
【請求項３】
第１のノイズフィルタを介してＡＣ電源が供給される第１の電源装置と、
該第１の電源装置からの電源の供給により起動する第１の制御手段と、
第２のノイズフィルタを介してＡＣ電源が供給される第２の電源装置と、
該第２の電源装置からの電源の供給により起動する第２の制御手段と、
前記第１の制御手段に入力する省エネ解除の信号を生成する省エネ解除手段とを有する電子機器装置において、
該省エネ解除手段の出力に応じて、前記第２のノイズフィルタを介して前記第２の電源装置に前記ＡＣ電源を供給することを特徴とする電子機器装置。
【発明の詳細な説明】
【０００１】
【発明の属する技術分野】
本発明は電子機器装置に関し、さらに詳しくは、省エネ手段を有する画像形成装置等の電子機器装置において、消費電力の少ない待機状態の省エネモードにおいて、無効電力を少なくすることができる電子機器装置に関する。
【０００２】
【従来の技術】
電子機器装置の省エネ対応のため、電子機器装置の待機時と動作時で電源を切替えることが行われている。そして、待機時と動作時では電子機器装置で消費する電力が大きく異なるため、電力に応じて電源を切り替え、電源の変換効率が良い状態で動作するようにしている。
【０００３】
図５は、従来の省エネ手段を有する電子写真方式の画像形成装置の構成を示す図で、電源部及び定着部を示している。なお、定着部の構成については一例を示すものであって、普通紙上に転写されたトナー像を熱及び圧力により融着する定着工程を実施する部分であるが、本発明の電子機器装置の要旨ではないので詳細な説明は省略する。
図５に示された画像形成装置のメインスイッチ６が投入されると、直流電源７の第１の電源である省エネ電源８が起動し、省エネ制御手段１２が起動する。これにより、電子機器装置は省エネ状態すなわち待機状態となる。
次に、省エネ解除スイッチ１５が押下されると、装置全体を起動するため省エネ制御手段１２は第２の電源である主電源９を起動するため主電源リレー１６に通電し、その主電源リレー接点１６ｓをオンする。これにより、ＡＣ電源１がノイズフィルタ３を介して主電源９に供給され、画像形成装置全体を制御している本体制御手段１７が起動し、プリント可能な状態となる。主電源９は、入力電流の高調波を抑制するアクティブフィルタ１０からなる力率改善回路とメイン電源であるＤＣ／ＤＣコンバータ１１で構成してある。
なお、一点鎖線内の定着部はドアスイッチ１３等によってＡＣ電源１の供給が制御される。
【０００４】
このような従来の画像形成装置の電源入力には、この装置で発生するノイズ及び商用電源ラインを介して画像形成装置に入力するノイズを抑制するノイズフィルタ３やサージを吸収するアレスタ５等が設けてある。これらノイズを抑制する手段は、装置から発生するノイズが最も大きくなる動作時に性能を満足するように設定されている。このため、画像形成装置での消費電力が少ない省エネ待機時には、画像形成装置内で発生するノイズに対してオーバースペックな状態となっている。これにより、省エネ状態の待機時に画像形成装置には図６に示すような波形の入力電流ＩＡＣが流れる。入力電流はＡＣ電源の電圧ＶＡＣに対し位相が９０°進んだ成分が主体となっており、省エネ電源に流れる同相のピーク電流Ｉｐが合成されている。
この進相電流が発生する箇所を解析すると、大部分がノイズフィルタ３で発生していることが分かった。この電流は画像形成装置の動作電流に比べ充分小さい電流であり、電源電圧と位相がずれているため消費電力としては僅かなものであるが、待機時の入力電流に占める割合は大きく、無効電力の大部分を占めている。このため、従来の画像形成装置では待機時の力率は良くなかった。
【０００５】
また、ノイズ対策部品に定数可変機能を設け、検出したノイズ信号に応じて定数を決定する電子制御装置が、特開平１１−２３５０１６号公報（エアコン電子制御装置）によって知られているが、この従来例においては、マイコンによる制御状態に応じてフィルタの定数を切り替えているので、装置内で発生するノイズが急峻な場合は切り替えのための制御時間分の遅れが生じるので、装置の外部にノイズが流失する可能性がある。
【０００６】
【発明が解決しようとする課題】
本発明は、上述のような従来例が引き起こす現象に注目し、省エネ待機時の入力電流を低減する省エネタイプの電子機器装置を提供することを目的とし、具体的には入力の無効電力を低減する電源装置を提供することである。
また、電源の状態と関連付けてノイズフィルタの定数を切り替え、更に切り替えタイミングをフィルタ切り替え後に電源をオンオフ制御するようにして、ノイズの流失が発生しない電源装置を提供することである。
【０００７】
【課題を解決するための手段】
本発明は、上記課題を解決するためになされたもので、その第１の技術手段は、ノイズフィルタを介してＡＣ電源が供給される第１の電源装置と、該第１の電源装置からの電源の供給により起動する第１の制御手段と、該第１の制御手段によりオンオフ制御される第２の電源装置と、該第２の電源装置からの電源の供給により起動する第２の制御手段と、前記第１の制御手段に入力する省エネ解除の信号を生成する省エネ解除手段とを有する電子機器装置において、該省エネ解除手段の出力に応じて前記第２の電源装置に前記ＡＣ電源を供給するとともに、前記ノイズフィルタの定数を切り換えることを特徴とする。
【０００８】
第２の技術手段は、第１の技術手段の電子機器装置において、前記省エネ解除手段により前記ノイズフィルタの定数を切り換えた後に、前記第２の電源装置をオンすることを特徴とする。
【０００９】
第３の技術手段は、第１のノイズフィルタを介してＡＣ電源が供給される第１の電源装置と該第１の電源装置からの電源の供給により起動する第１の制御手段と、第２のノイズフィルタを介してＡＣ電源が供給される第２の電源装置と、該第２の電源装置からの電源の供給により起動する第２の制御手段と、前記第１の制御に入力する省エネ解除の信号を生成する省エネ解除手段とを有する電子機器装置において、該省エネ解除手段の出力に応じて、前記第２のノイズフィルタを介して前記第２の電源装置に前記ＡＣ電源を供給することを特徴とする。
【００１０】
【発明の実施の形態】
以下、本発明の実施の形態を図１〜４に示す実施例に基づいて説明する。
（実施例１）
図１は、本発明の第１の実施例の電気回路図である。
第１の実施例は、ＡＣ電源を有効に活用して、待機時の消費電力が少ない、所謂、省エネ方式の電子機器装置に関するもので、具体的にはプリンタまたは複写機である。
具体的には、待機時と動作時にＡＣ電源ラインに接続してあるノイズフィルタの内部の定数を切り替えることにより、省エネ待機時の入力電流を低減する。
【００１１】
第１の実施例の構成は、電子機器装置のＡＣ電源１が、サーキットブレーカ２とノイズフィルタ３を介して入力し、メインスイッチ６を介して直流電源７に接続されている。ノイズフィルタ３には、内部の定数を切り替えるためのノイズフィルタ切り換えリレー１４の接点１４ｓが接続してある。
直流電源７は、内部で省エネ時に必要とする電力を供給する省エネ電源８（第１の電源装置）と、省エネ状態が解除された時に主電源リレー１６の接点１６ｓを介して必要とする電力を供給する主電源９（第２の電源装置）に分岐している。
省エネ電源８の出力は省エネ制御手段１２（第１の制御手段）に接続されている。主電源９（第２の電源装置）は、アクティブフィルタ１０と多出力ＤＣ／ＤＣコンバータ１１で構成してあり、その出力が本体制御手段１７（第２の制御手段）に接続されている。
【００１２】
省エネ制御手段１２には省エネ解除信号を生成する省エネ解除スイッチ１５と、ノイズフィルタ３の定数を切り換えるノイズフィルタ切り換えリレー１４及び主電源９をオンオフする主電源リレー１６が接続してある。
【００１３】
以上のような構成で、メインスイッチ６をオンすると、直流電源７の省エネ電源８にＡＣ電源１が入力し、省エネ電源８が起動する。
省エネ電源８の出力が、省エネ制御手段１２に供給され、省エネ制御手段１２が起動する。これにより画像形成装置は待機状態である省エネモードとなる。
【００１４】
省エネモードの状態で、省エネ制御手段１２に接続された省エネ解除スイッチ１５を押下して、省エネ解除信号が省エネ制御手段１２に入力すると、省エネ制御手段１２はノイズフィルタ切り換えリレー１４に通電し、そのノイズフィルタ切り換え接点１４ｓをオンし、ノイズフィルタ３を高負荷電流に対応できる定数に切り替えた後、主電源リレー１６に通電し、その接点１６ｓを介してＡＣ電源１を供給し主電源９を起動する。
主電源９が起動し低圧電源が本体制御手段１７に供給されると、本体制御手段１７が起動し、画像形成装置はプリント可能な動作モードに移行する。
【００１５】
メインスイッチ６のオンからプリント可能な状態になるまでの間で、ＡＣ電源１からこの電子機器装置への入力電力は、そのモードに応じて２段階のステップがある。
省エネ電源８と省エネ制御手段１２のみが起動している省エネモードで、本実施例では約１０Ｗ位の入力電力となっている。
また、装置全体が起動してプリント可能な動作モードで、入力電力は約５００Ｗである。
【００１６】
動作モードでは、主電源９に設けたアクティブフィルタ１０の作用により、本装置の力率は、ほぼ１となっている。
また、省エネモードでは、ノイズフィルタ３の定数を切り換えることにより、力率を約０.７となるようにしてある。
また、省エネモード専用の直流電源８を設けることにより、電源の入出力の変換効率を負荷電流が少ない同モードにおいても動作モードと同等の約７０％を得ている。
【００１７】
以上のように、第１の実施例ではＡＣ電源１に設けたノイズフィルタ３の定数を装置の消費電力に応じて切り替えるように構成されているので、１つのノイズフィルタ３で常に効率良い、所謂省エネ方式の電子機器装置を提供することができる。
【００１８】
次に、ノイズフィルタ３の具体例を図２（Ａ），（Ｂ）に基づいて説明する。図２（Ａ）に示すノイズフィルタ３は、入力のコンデンサＣ１がノイズフィルタ切り替えリレー１４の接点１４ｓを介して、抵抗Ｒ１とともにＡＣ電源１のライン間に接続してある。次に、コモンモードのチョークコイルＬ１を介して、抵抗Ｒ２とコンデンサＣ２が出力側のライン間に接続してあり、さらにラインと接地間にコンデンサＣ３及びＣ４が接続してある。ここで、コンデンサＣ１とＣ２は、所謂、Ｘコンデンサで本実施例では１.５μＦに設定してあり、Ｃ３とＣ４はＹコンデンサで本実施例では２２００ＰＦに設定してある。また、チョークコイルＬ１は３ｍＨである。
【００１９】
このような構成で、ノイズフィルタ３にＡＣ電源１が印加されると、ＸコンデンサＣ１，Ｃ２には、前述の従来例について説明した図６に示すように、進相電流が流れる。この電流は電子機器装置の負荷電流とは無関係にＡＣ電源の電圧に応じた値となる。したがって、負荷電流（フィルタに流れる装置の入力電流）が少ない省エネモードでは、進相電流の比率が高くなり力率が低下し、装置としては電源の効率が悪くなる。このため、ノイズフィルタ切り替えリレー１４を非励磁とすることによりこの電流が流れないようにすることができ、常に力率が低下しないようにすることができる。
【００２０】
なお、ここではＡＣ電源側のコンデンサＣ１のみをオンオフするようにしてあるが、ノイズフィルタ３の出力側のコンデンサＣ２も同様にオンオフするようにしてもよい。
また、省エネモードでのノイズ抑制を強化するため、図２（Ｂ）に示すようにＹコンデンサを複数設け、負荷電流が少ない時はコンデンサＣ１Ａのみオフするようにしても、前述と同様の効果を得ることができる。
【００２１】
図２（Ａ），（Ｂ）に示すようなノイズフィルタ３の構成とすることにより、負荷電流が変動するモードを有する電子機器装置においても、常にノイズ抑制の効果を損なわず高い効率の装置を提供することができる。
【００２２】
（実施例２）
図３は、本発明の第２の実施例の電気回路図である。
第２の実施例と図１に示す第１の実施例との相違は、第１の実施例の直流電源７が主電源１１のみで構成されており、省エネ制御手段１２及び本体制御手段１７はともに主電源１１から給電され、主電源１１と本体制御手段１７の間には主電源リレー１６の接点１６ｓが介在し、省エネモードにおける待機時には本体制御手段１７に供給する電源出力のみを遮断するように構成されている。
第２の実施例では第１の実施例のものより少ない消費電力の電子機器装置で、省エネモードでは約５Ｗ、動作モードでは約２５０Ｗである。
【００２３】
図３において、電子機器装置が省エネモードの待機時は、ノイズフィルタ切り換えリレー１４の接点１４ｓと主電源リレー１６の接点１６ｓはともにオフ状態となっており、省エネ制御手段１２のみに給電される。
省エネ解除スイッチ１５が押圧され、省エネ制御手段１２が動作モードに切り替える時に、ノイズフィルタ切り換えリレー１４の接点１４ｓをオンし、次に主電源リレー１６の接点１６ｓをオンとする。これにより、第１の実施例と同様に電子機器装置の全てのモードで高効率となっている。
なお、実施例においては本体制御手段１７への給電制御をリレーで行なっているが、これは他のスイッチ手段で行っても良い。
【００２４】
（実施例３）
図４は、本発明の第３の実施例の電気回路図である。
第３の実施例では、省エネ制御手段１２に電源を供給する省エネ電源８と、本体制御手段１７に給電する主電源９に、それぞれ専用のノイズフィルタ３Ａ，３Ｂを設けてあり、さらに省エネ待機時には主電源９に入力するＡＣ電源１を主電源リレー１４の接点１４ｓでオフするようにしてある。これにより、第１、第２の実施例のように、ノイズフィルタ３の定数の切り換えを行なわなくても、省エネ制御手段１２が主電源リレー１４に通電するだけで、各モードで効率の良い状態を提供することができる。
【００２５】
また、第３の実施例では省エネ制御手段１２の誤動作等でノイズフィルタ３Ａ，３Ｂの切り換えのタイミングがずれてもノイズが発生することがなく、より信頼性の高い装置を提供することができる。これにより、待機時には少ない負荷電流に応じた小容量の専用のノイズフィルタ３Ａのみに通電されるので、第１、第２の実施例と同様の効果を得ることができる。
【００２６】
【発明の効果】
本発明は、以上のような構成であるので、次のような効果を奏する。
請求項１に係る発明によれば、電源スイッチを投入したときにＡＣ電源が供給される第１の電源装置（省エネ電源）と第１の電源装置からの電源の供給により起動する第１の制御手段（省エネ制御手段）と第１の制御手段により出力がオンオフ制御される第２の電源装置（主電源）と第２の電源装置からの電源の供給により起動する第２の制御手段（本体制御手段）と第１の制御手段に入力する省エネ解除の信号を生成する省エネ解除手段（省エネ解除スイッチ）とを有する電子機器装置において、省エネ解除手段の出力に応じて電子機器装置に入力するＡＣ電源に挿入されたノイズフィルタの定数を切り替えるようにしたので、電子機器装置の消費電力の大きさに無関係に常に高い電源効率の電子機器装置を提供することができる。特に消費電力の少ない待機状態の省エネモードにおいて、無効電力を少なくすることができる。
【００２７】
請求項２に係る発明によれば、省エネ解除手段によりノイズフィルタの定数を切り替えた後に第２の電源装置の出力をオンするようようにしたので、ひとつのノイズフィルタの定数を切り替えることにより簡単な構成で省エネ方式の電子機器装置を提供することができる。
【００２８】
請求項３に係る発明によれば、第１の電源装置に入力するＡＣ電源に挿入されたノイズフィルタを介さずに第２の電源装置ＡＣ電源を供給し、第２の電源装置のノイズフィルタのＡＣ電源側にノイズフィルタへのＡＣ電源への給電をオンオフする切替え手段を設けたので、動作モードに切り替えるだけで消費電力に対応した状態となるため、より信頼性の高い省エネ方式の電子機器装置を提供することができる。
【図面の簡単な説明】
【図１】  本発明の第１の実施例を示す電気回路図である。
【図２】  ノイズフィルタの具体例を示す電気回路図である。
【図３】  本発明の第２の実施例を示す電気回路図である。
【図４】  本発明の第３の実施例を示す電気回路図である。
【図５】  従来の省エネ手段を有する電子写真方式の画像形成装置の電源部及び定着部を示す電気回路図である。
【図６】  図５の画像形成装置の省エネ待機時の入力電流とＡＣ電源の電圧との関係を示す波形図である。
【符号の説明】
１…ＡＣ電源、３…ノイズフィルタ（ＮＦ）、６…メインスイッチ（ＳＷ１）、７…直流電源（ＰＳＵ）、８…省エネ電源、９…主電源、１０…アクティブフィルタ（ＡＦ）、１１…ＤＣ／ＤＣコンバータ、１２…省エネ制御手段、１４…ノイズフィルタ切り換えリレー、１４ｓ…（ノイズフィルタ切り換えリレーの）接点、１５…省エネ解除スイッチ、１６…主電源リレー、１６ｓ…（主電源リレーの）接点、１７…本体制御手段。
【図１】
0003822779.tif 000002
【図２】
0003822779.tif 000003
【図３】
0003822779.tif 000004
【図４】
0003822779.tif 000005
【図５】
0003822779.tif 000006
【図６】
0003822779.tif 000007